(57)【要約】【課題】第５世代移動通信等においてＩｏＴ向けデバイスを含む端末装置との間の無線通信の伝搬遅延が低く、広範囲の多数の端末装置と同時接続でき、高速通信可能で、単位面積あたりのシステム容量の大きい３次元化したネットワークを広域にわたって安定に構築できるロバスト性に優れた通信システムを提供する。【解決手段】地上基地局と端末装置との無線通信を中継する複数の無線中継局を備える通信システムであって、複数の無線中継局は、自律制御又は外部から制御により高度が１００［ｋｍ］以下の浮揚空域に位置するように制御される浮揚体に設けられ相互に通信可能な複数の第１無線中継局と、高度が１００［ｋｍ］以下の浮揚空域に位置するように地上又は海上に係留された浮揚体に設けられ複数の第１無線中継局と地上基地局との通信を中継する第２無線中継局とを含む。【選択図】図１
2018195869.tif 000002
【特許請求の範囲】
【請求項１】
地上基地局と端末装置との無線通信を中継する複数の無線中継局を備える通信システムであって、
前記複数の無線中継局は、地面又は海面との間の所定のセル形成目標空域に３次元セルを形成するように、自律制御又は外部から制御により高度が１００［ｋｍ］以下の浮揚空域に位置するように制御される第１浮揚体に設けられ、相互に通信可能な複数の第１無線中継局を含むことを特徴とする通信システム。
【請求項２】
請求項１の通信システムにおいて、
前記第１浮揚体は、前記第１無線中継局に供給する電力を発電する太陽光発電パネルが設けられた翼と前記翼に設けられた回転駆動可能なプロペラとを備えたソーラープレーンであることを特徴とすることを特徴とする通信システム。
【請求項３】
請求項１又は２の通信システムにおいて、
前記複数の無線中継局は、地面又は海面との間の所定のセル形成目標空域に３次元セルを形成するように、高度が１００［ｋｍ］以下の浮揚空域に位置するように地上又は海上に係留された第２浮揚体に設けられ、前記複数の第１無線中継局と前記地上基地局との通信を中継する第２無線中継局を含むことを特徴とする通信システム。
【請求項４】
請求項３の通信システムにおいて、
前記第２浮揚体は、前記第２無線中継局に電力を供給するバッテリーを備えた飛行船であることを特徴とすることを特徴とする通信システム。
【請求項５】
請求項３又は４の通信システムにおいて、
前記第２無線中継局と前記地上基地局との通信は、有線による通信であり、
前記第２無線中継局と前記第１無線中継局との通信は、マイクロ波を用いた通信であることを特徴とすることを特徴とする通信システム。
【請求項６】
請求項３乃至５のいずれかの通信システムにおいて、
前記第２浮揚体は、大都市部の上空に位置するように係留され、
前記第１浮揚体は、前記大都市部よりも端末装置の密度が低い郊外部、地方部又は海の上空に位置するように制御されることを特徴とする通信システム。
【請求項７】
請求項１乃至６のいずれかの通信システムにおいて、
前記複数の無線中継局は、２次元又は３次元のメッシュ型トポロジーからなる無線通信ネットワークを形成することを特徴とすることを特徴とする通信システム。
【請求項８】
請求項１乃至７のいずれかの通信システムにおいて、
前記複数の無線中継局のいずれかが故障したとき、他の無線中継局がバックアップして無線中継することを特徴とする通信システム。
【請求項９】
請求項１乃至８のいずれかの通信システムにおいて、
前記複数の第１無線中継局間の通信はレーザ光を用いた無線通信であることを特徴とすることを特徴とする通信システム。
【請求項１０】
請求項９の通信システムにおいて、
前記複数の第１無線中継局はそれぞれ、周辺の他の第１無線中継局との間の相対的な位置の変化に応じて前記レーザ光の方向及び強度を制御することを特徴とする通信システム。
【請求項１１】
請求項９又は１０の通信システムにおいて、
前記複数の第１無線中継局はそれぞれ、周辺の他の第１無線中継局との間の相対的な位置の変化に応じて前記レーザ光による通信を行う他の第１無線中継局を切り替えるように制御することを特徴とする通信システム。
【請求項１２】
請求項９乃至１１のいずれかの通信システムにおいて、
前記複数の第１無線中継局はそれぞれ、夜間の時間帯に前記レーザ光の強度を低下させるように制御することを特徴とする通信システム。
【請求項１３】
請求項１乃至１２のいずれかの通信システムにおいて、
前記第１浮揚体に設けられた第１無線中継局の位置、その第１無線中継局によって形成されるビームの方向及び広がり角度を制御する遠隔制御装置を備えることを特徴とする通信システム。
【請求項１４】
請求項１乃至１３のいずれかの通信システムにおいて、
前記セル形成目標空域の高度は１０［ｋｍ］以下であることを特徴とする通信システム。
【請求項１５】
請求項１４の通信システムにおいて、
前記セル形成目標空域の高度は５０［ｍ］以上１［ｋｍ］以下であることを特徴とする通信システム。
【請求項１６】
請求項１乃至１５のいずれかの通信システムにおいて、
前記第１無線中継局を設けた第１浮揚体は、高度が１１［ｋｍ］以上及び５０［ｋｍ］以下の成層圏に位置することを特徴とする通信システム。
【発明の詳細な説明】
【技術分野】
【０００１】
本発明は、第５世代通信の３次元化ネットワークを構築するＨＡＰＳ間通信及び大容量多セル係留飛行船型ＨＡＰＳに関するものである。
【背景技術】
【０００２】
従来、移動通信システムの通信規格である３ＧＰＰのＬＴＥ（Ｌｏｎｇ  Ｔｅｒｍ  Ｅｖｏｌｕｔｉｏｎ）−Ａｄｖａｎｃｅｄ（非特許文献１参照）を発展させたＬＴＥ−ＡｄｖａｎｃｅｄＰｒｏと呼ばれる通信規格が知られている（非特許文献２参照）。このＬＴＥ−ＡｄｖａｎｃｅｄＰｒｏでは、近年のＩｏＴ（Ｉｎｔｅｒｎｅｔ  ｏｆ  Ｔｈｉｎｇｓ）向けデバイスへの通信を提供するための仕様が策定された。更に、ＩｏＴ向けデバイス等の多数の端末装置（「ＵＥ（ユーザ装置）」、「移動局」、「通信端末」ともいう。）への同時接続や低遅延化などに対応する第５世代の移動通信が検討されている（例えば、非特許文献３参照）。
【先行技術文献】
【非特許文献】
【０００３】
【非特許文献１】３ＧＰＰ  ＴＳ  ３６．３００  Ｖ１０．１２．０（２０１４−１２）．
【非特許文献２】３ＧＰＰ  ＴＳ  ３６．３００  Ｖ１３．５．０（２０１６−０９）．
【非特許文献３】Ｇ．  Ｒｏｍａｎｏ，「３ＧＰＰ  ＲＡＮ  ｐｒｏｇｒｅｓｓ  ｏｎ  “５Ｇ”」，３ＧＰＰ，２０１６．
【発明の概要】
【発明が解決しようとする課題】
【０００４】
上記第５世代移動通信等においてＩｏＴ向けデバイスを含む端末装置との間の無線通信にて、伝搬遅延が低く、広範囲の多数の端末と同時接続でき、高速通信可能で、単位面積あたりのシステム容量の大きい３次元化したネットワークを広域にわたって安定に実現することができるロバスト性に優れた通信システムを提供したいという課題がある。
【課題を解決するための手段】
【０００５】
本発明の一態様に係る通信システムは、地上基地局と端末装置との無線通信を中継する複数の無線中継局を備える通信システムであって、前記複数の無線中継局は、地面又は海面との間の所定のセル形成目標空域に３次元セルを形成するように、自律制御又は外部から制御により高度が１００［ｋｍ］以下の浮揚空域に位置するように制御される第１浮揚体に設けられ、相互に通信可能な複数の第１無線中継局を含む。
前記通信システムにおいて、前記第１浮揚体は、前記第１無線中継局に供給する電力を発電する太陽光発電パネルが設けられた翼と前記翼に設けられた回転駆動可能なプロペラとを備えたソーラープレーンであってもよい。
また、前記通信システムにおいて、前記複数の無線中継局は、地面又は海面との間の所定のセル形成目標空域に３次元セルを形成するように、高度が１００［ｋｍ］以下の浮揚空域に位置するように地上又は海上に係留された第２浮揚体に設けられ、前記複数の第１無線中継局と前記地上基地局との通信を中継する第２無線中継局を含んでもよい。前記第２浮揚体は、前記第２無線中継局に電力を供給するバッテリーを備えた飛行船であってもよい。
また、前記通信システムにおいて、前記第２無線中継局と前記地上基地局との通信は、有線による通信であり、前記第２無線中継局と前記第１無線中継局との通信は、マイクロ波を用いた通信であってもよい。
また、前記通信システムにおいて、前記第２浮揚体は、大都市部の上空に位置するように係留され、前記第１浮揚体は、前記大都市部よりも端末装置の密度が低い郊外部、地方部又は海の上空に位置するように制御されてもよい。
【０００６】
また、前記通信システムにおいて、前記複数の無線中継局は、２次元又は３次元のメッシュ型トポロジーからなる無線通信ネットワークを形成してもよい。また、前記通信システムにおいて、前記複数の無線中継局のいずれかが故障したとき、他の無線中継局がバックアップして無線中継してもよい。
【０００７】
また、前記通信システムにおいて、前記複数の第１無線中継局間の通信はレーザ光を用いた無線通信であってもよい。ここで、前記複数の第１無線中継局はそれぞれ、周辺の他の第１無線中継局との間の相対的な位置の変化に応じて前記レーザ光の方向及び強度を制御してもよい。また、前記複数の第１無線中継局はそれぞれ、周辺の他の第１無線中継局との間の相対的な位置の変化に応じて前記レーザ光による通信を行う他の第１無線中継局を切り替えるように制御してもよい。また、前記複数の第１無線中継局はそれぞれ、夜間の時間帯に前記レーザ光の強度を低下させるように制御してもよい。
【０００８】
また、前記通信システムにおいて、前記第１浮揚体に設けられた第１無線中継局の位置、その第１無線中継局によって形成されるビームの方向及び広がり角度を制御する遠隔制御装置を備えてもよい。
また、前記通信システムにおいて、前記セル形成目標空域の高度は１０［ｋｍ］以下であってもよく、更に、前記セル形成目標空域の高度は５０［ｍ］以上１［ｋｍ］以下であってもよい。
また、前記通信システムにおいて、前記第１無線中継局を設けた第１浮揚体は、高度が１１［ｋｍ］以上及び５０［ｋｍ］以下の成層圏に位置してもよい。
【発明の効果】
【０００９】
本発明によれば、上記第５世代移動通信等においてＩｏＴ向けデバイスを含む端末装置との間の無線通信の伝搬遅延が低く、広範囲の多数の端末装置と同時接続でき、高速通信可能で、単位面積あたりのシステム容量の大きい３次元化したネットワークを広域にわたって安定に実現することができるロバスト性に優れた通信システムを提供することができる。
【図面の簡単な説明】
【００１０】
【図１】本発明の一実施形態に係る３次元化ネットワークを実現する通信システムの全体構成の一例を示す概略構成図。
【図２】実施形態の通信システムに用いられるＨＡＰＳの一例を示す斜視図。
【図３】実施形態の通信システムに用いられるＨＡＰＳの他の例を示す側面図。
【図４】実施形態の複数のＨＡＰＳで上空に形成される無線ネットワークの一例を示す説明図。
【図５】実施形態のＨＡＰＳの無線中継局の一構成例を示すブロック図。
【図６】実施形態のＨＡＰＳの無線中継局の他の構成例を示すブロック図。
【図７】実施形態のＨＡＰＳの無線中継局の更に他の構成例を示すブロック図。
【図８】他の実施形態に係る３次元化ネットワークを実現する通信システムの全体構成の一例を示す概略構成図。
【図９】更に他の実施形態に係る３次元化ネットワークを実現する通信システムの全体構成の一例を示す概略構成図。
【図１０】図９の通信システムにおける係留ＨＡＰＳの無線中継局の一構成例を示すブロック図。
【図１１】実施形態の複数のソーラープレーンタイプのＨＡＰＳ及び大容量多セル対応の係留ＨＡＰＳを日本国の上空に配置した無線通信ネットワークの一例の様子を示す説明図。
【図１２】更に他の実施形態に係る３次元化ネットワークを実現する通信システムの全体構成の一例を示す概略構成図。
【発明を実施するための形態】
【００１１】
以下、図面を参照して本発明の実施形態について説明する。
図１は、本発明の一実施形態に係る通信システムの全体構成の一例を示す概略構成図である。本実施形態に係る通信システムは、多数の端末装置（「移動局」、「移動機」又は「ユーザ装置（ＵＥ）」ともいう。）への同時接続や低遅延化などに対応する第５世代移動通信の３次元化ネットワークの実現に適する。
【００１２】
図１に示すように、通信システムは、複数の無線中継装置としての高高度プラットフォーム局（ＨＡＰＳ）１０，２０を備え、所定高度のセル形成目標空域４０に、図中ハッチング領域で示すような３次元セル（３次元エリア）４１，４２を形成する。ＨＡＰＳ１０，２０は、自律制御又は外部から制御により地面又は海面から１００［ｋｍ］以下の高高度の浮揚空域（以下、単に「空域」ともいう。）５０に浮遊して位置するように制御される浮揚体（例えば、ソーラープレーン、飛行船）に無線中継局が搭載されたものである。
【００１３】
ＨＡＰＳ１０，２０の位置する空域５０は、例えば、高度が１１［ｋｍ］以上及び５０［ｋｍ］以下の成層圏の空域である。ＨＡＰＳ１０，２０の位置する空域５０は、気象条件が比較的安定している高度が１５［ｋｍ］以上及び２５［ｋｍ］以下の範囲の空域であってもよく、特に高度がほぼ２０［ｋｍ］の空域であってもよい。図中のＨｒｓｌ及びＨｒｓｕはそれぞれ、地面（ＧＬ）を基準にしたＨＡＰＳ１０，２０の位置する空域５０の下端及び上端の相対的な高度を示している。
【００１４】
セル形成目標空域４０は、本実施形態の通信システムにおける一又は複数のＨＡＰＳで３次元セルを形成する目標の空域である。セル形成目標空域４０は、ＨＡＰＳ１０，２０が位置する空域５０と従来のマクロセル基地局等の基地局９０がカバーする地面近傍のセル形成領域との間に位置する、所定高度範囲（例えば、５０［ｍ］以上１０００［ｍ］以下の高度範囲）の空域である。図中のＨｃｌ及びＨｃｕはそれぞれ、地面（ＧＬ）を基準にしたセル形成目標空域４０の下端及び上端の相対的な高度を示している。
【００１５】
なお、本実施形態の３次元セルが形成されるセル形成目標空域４０は、海、川又は湖の上空であってもよい。
【００１６】
ＨＡＰＳ１０，２０の無線中継局はそれぞれ、移動局である端末装置と無線通信するためのビーム１００，２００を地面に向けて形成する。端末装置は、遠隔操縦可能な小型のヘリコプター等の航空機であるドローン６０に組み込まれた通信端末モジュールでもよいし、飛行機６５の中でユーザが使用するユーザ端末装置であってもよい。セル形成目標空域４０においてビーム１００，２００が通過する領域が３次元セル４１，４２である。セル形成目標空域４０において互いに隣り合う複数のビーム１００，２００は部分的に重なってもよい。
【００１７】
ＨＡＰＳ１０，２０の無線中継局はそれぞれ、地上又は海上に設置された中継局であるフィーダ局（ゲートウェイ）７０を介して、移動通信網８０のコアネットワークに接続されている。ＨＡＰＳ１０，２０とフィーダ局７０との間の通信は、マイクロ波などの電波による無線通信で行ってもよいし、レーザ光などを用いた光通信で行ってもよい。
【００１８】
ＨＡＰＳ１０，２０はそれぞれ、内部に組み込まれたコンピュータ等で構成された制御部が制御プログラムを実行することにより、自身の浮揚移動（飛行）や無線中継局での処理を自律制御してもよい。例えば、ＨＡＰＳ１０，２０はそれぞれ、自身の現在位置情報（例えばＧＰＳ位置情報）、予め記憶した位置制御情報（例えば、飛行スケジュール情報）、周辺に位置する他のＨＡＰＳの位置情報などを取得し、それらの情報に基づいて浮揚移動（飛行）や無線中継局での処理を自律制御してもよい。
【００１９】
また、ＨＡＰＳ１０，２０それぞれの浮揚移動（飛行）や無線中継局での処理は、移動通信網８０の通信センター等に設けられた通信オペレータの遠隔制御装置８５によって制御できるようにしてもよい。この場合、ＨＡＰＳ１０，２０は、遠隔制御装置８５からの制御情報を受信できるように制御用通信端末装置（例えば、移動通信モジュール）が組み込まれ、遠隔制御装置８５から識別できるように端末識別情報（例えば、ＩＰアドレス、電話番号など）が割り当てられるようにしてもよい。制御用通信端末装置の識別には通信インターフェースのＭＡＣアドレスを用いてもよい。また、ＨＡＰＳ１０，２０はそれぞれ、自身又は周辺のＨＡＰＳの浮揚移動（飛行）や無線中継局での処理に関する情報や各種センサなどで取得した観測データなどの情報を、遠隔制御装置８５等の所定の送信先に送信するようにしてもよい。
【００２０】
セル形成目標空域４０では、ＨＡＰＳ１０，２０のビーム１００，２００が通過していない領域（３次元セル４１，４２が形成されない領域）が発生するおそれがある。この領域を補完するため、図１の構成例のように、地上側又は海上側から上方に向かって放射状のビーム３００を形成して３次元セル４３を形成してＡＴＧ（Ａｉｒ  Ｔｏ  Ｇｒｏｕｎｄ）接続を行う基地局（以下「ＡＴＧ局」という。）３０を備えてもよい。
【００２１】
また、ＡＴＧ局を用いずに、ＨＡＰＳ１０，２０の位置やビーム１００，２００の発散角（ビーム幅）等を調整することにより、ＨＡＰＳ１０，２０の無線中継局が、セル形成目標空域４０に３次元セルがくまなく形成されるように、セル形成目標空域４０の上端面の全体をカバーするビーム１００，２００を形成してもよい。
【００２２】
なお、上記ＨＡＰＳ１０，２０で形成する３次元セルは、地上又は海上に位置する端末装置との間でも通信できるよう地面又は海面に達するように形成してもよい。
【００２３】
図２は、実施形態の通信システムに用いられるＨＡＰＳ１０の一例を示す斜視図である。図２のＨＡＰＳ１０はソーラープレーンタイプのＨＡＰＳである。上面に太陽光発電機能を有する太陽光発電部としての太陽光発電パネル（以下「ソーラーパネル」という。）１０２が設けられ長手方向の両端部側が上方に沿った主翼部１０１と、主翼部１０１の短手方向の一端縁部にバス動力系の推進装置としての複数のモータ駆動のプロペラ１０３とを備える。主翼部１０１の下面の長手方向の２箇所には、板状の連結部１０４を介して、ミッション機器が収容される複数の機器収容部としてのポッド１０５が連結されている。各ポッド１０５の内部には、ミッション機器としての無線中継局１１０と、バッテリー１０６とが収容されている。また、各ポッド１０５の下面側には離発着時に使用される車輪１０７が設けられている。ソーラーパネル１０２で発電された電力はバッテリー１０６に蓄電され、バッテリー１０６から供給される電力により、プロペラ１０３のモータが回転駆動され、無線中継局１１０による無線中継処理が実行される。
【００２４】
ソーラープレーンタイプのＨＡＰＳ１０は、例えば旋回飛行を行ったり８の字飛行を行ったりすることにより揚力で浮揚し、所定の高度で水平方向の所定の範囲に滞在するように浮揚することができる。なお、ソーラープレーンタイプのＨＡＰＳ１０は、プロペラ１０３が回転駆動されていないときは、グライダーのように飛ぶこともできる。例えば、昼間などのソーラーパネル１０２の発電によってバッテリー１０６の電力が余っているときに高い位置に上昇し、夜間などのソーラーパネル１０２で発電できないときにバッテリー１０６からモータへの給電を停止してグライダーのように飛ぶことができる。
【００２５】
図３は、実施形態の通信システムに用いられるＨＡＰＳ２０の他の例を示す斜視図である。図３のＨＡＰＳ２０は、無人飛行船タイプのＨＡＰＳであり、ペイロードが大きいため大容量のバッテリーを搭載することができる。ＨＡＰＳ２０は、浮力で浮揚するためのヘリウムガス等の気体が充填された飛行船本体２０１と、バス動力系の推進装置としてのモータ駆動のプロペラ２０２と、ミッション機器が収容される機器収容部２０３とを備える。機器収容部２０３の内部には、無線中継局２１０とバッテリー２０４とが収容されている。バッテリー２０４から供給される電力により、プロペラ２０２のモータが回転駆動され、無線中継局２１０による無線中継処理が実行される。
【００２６】
なお、飛行船本体２０１の上面に、太陽光発電機能を有するソーラーパネルを設け、ソーラーパネルで発電された電力をバッテリー２０４に蓄電するようにしてもよい。
【００２７】
図４は、実施形態の複数のＨＡＰＳ１０，２０で上空に形成される無線ネットワークの一例を示す説明図である。複数のＨＡＰＳ１０，２０は、上空で互いに通信（ＨＡＰＳ間通信）できるように構成され、３次元化したネットワークを広域にわたって安定に実現することができるロバスト性に優れた無線通信ネットワークを形成する。この無線通信ネットワークは、各種環境や各種情報に応じたダイナミックルーティングによるアドホックネットワークとして機能することもできる。上記無線通信ネットワークは、２次元又は３次元の各種トポロジーを有するように形成することができ、例えば、図４に示すようにメッシュ型の無線通信ネットワークであってもよい。
【００２８】
図５は、実施形態のＨＡＰＳ１０，２０の無線中継局１１０，２１０の一構成例を示すブロック図である。図５の無線中継局１１０，２１０はリピータータイプの無線中継局の例である。無線中継局１１０，２１０はそれぞれ、３Ｄセル（３次元セル）形成アンテナ部１１１と送受信部１１２とフィード用アンテナ部１１３と送受信部１１４とリピーター部１１５と監視制御部１１６と電源部１１７とを備える。更に、無線中継局１１０，２１０はそれぞれ、ＨＡＰＳ間通信部１２５とビーム制御部１２６とを備える。
【００２９】
３Ｄセル形成アンテナ部１１１は、セル形成目標空域４０に向けて放射状のビーム１００，２００を形成するアンテナを有し、端末装置と通信可能な３次元セル４１，４２を形成する。送受信部１１２は、送受共用器（ＤＵＰ：ＤＵＰｌｅｘｅｒ）や増幅器などを有し、３Ｄセル形成アンテナ部１１１を介して、３次元セル４１，４２に在圏する端末装置に無線信号を送信したり端末装置から無線信号を受信したりする。
【００３０】
フィード用アンテナ部１１３は、地上又は海上のフィーダ局７０と無線通信するための指向性アンテナを有する。送受信部１１４は、送受共用器（ＤＵＰ：ＤＵＰｌｅｘｅｒ）や増幅器などを有し、３Ｄセル形成アンテナ部１１１を介して、フィーダ局７０に無線信号を送信したりフィーダ局７０から無線信号を受信したりする。
【００３１】
リピーター部１１５は、端末装置との間で送受信される送受信部１１２の信号と、フィーダ局７０との間で送受信される送受信部１１４の信号とを中継する。リピーター部１１５は、周波数変換機能を有してもよい。
【００３２】
監視制御部１１６は、例えばＣＰＵ及びメモリ等で構成され、予め組み込まれたプログラムを実行することにより、ＨＡＰＳ１０，２０内の各部の動作処理状況を監視したり各部を制御したりする。電源部１１７は、バッテリー１０６，２０４から出力された電力をＨＡＰＳ１０，２０内の各部に供給する。電源部１１７は、太陽光発電パネル等で発電した電力や外部から給電された電力をバッテリー１０６，２０４に蓄電させる機能を有してもよい。
【００３３】
ＨＡＰＳ間通信部１２５は、レーザ光やマイクロ波等の無線通信媒体を介して周辺の他のＨＡＰＳ１０，２０と通信する。この通信により、ドローン６０等の端末装置と移動通信網８０との間の無線通信を動的に中継するダイナミックルーティングが可能になるとともに、いずれかのＨＡＰＳが故障したときに他のＨＡＰＳがバックアップして無線中継することにより移動通信システムのロバスト性を高めることができる。
【００３４】
ＨＡＰＳ間通信の無線通信媒体としては、レーザ光やマイクロ波等の各種無線通信媒体を用いることができるが、ＨＡＰＳが位置する高度に応じて無線通信媒体を選んでもよい。例えば、ＨＡＰＳ１０，２０が雲の影響の小さい比較的高い高度に位置している場合は、そのＨＡＰＳ間通信にレーザ光を用いてもよい。また、ＨＡＰＳ１０，２０が雲の影響の大きい低高度に位置している場合は、そのＨＡＰＳ間通信に雲の影響を受けにくいマイクロ波を用いてもよい。
【００３５】
ビーム制御部１２６は、ＨＡＰＳ間通信に用いるレーザ光やマイクロ波等のビームの方向及び強度を制御したり、周辺の他のＨＡＰＳ（無線中継局）との間の相対的な位置の変化に応じてレーザ光やマイクロ波等のビームによる通信を行う他のＨＡＳＰ（無線中継局）を切り替えるように制御したりする。この制御は、例えば、ＨＡＰＳ自身の位置及び姿勢、周辺のＨＡＰＳの位置などに基づいて行ってもよい。ＨＡＰＳ自身の位置及び姿勢の情報は、そのＨＡＰＳに組み込んだＧＰＳ受信装置、ジャイロセンサ、加速度センサなどの出力に基づいて取得し、周辺のＨＡＰＳの位置の情報は、移動通信網８０に設けた遠隔制御装置８５又は他のＨＡＰＳ管理サーバから取得してもよい。
【００３６】
図６は、実施形態のＨＡＰＳ１０，２０の無線中継局１１０，２１０の他の構成例を示すブロック図である。図６の無線中継局１１０，２１０は基地局タイプの無線中継局の例である。なお、図６において、図５と同様な構成要素については同じ符号を付し、説明を省略する。図６の無線中継局１１０，２１０はそれぞれ、モデム部１１８を更に備え、リピーター部１１５の代わりに基地局処理部１１９を備える。更に、無線中継局１１０，２１０はそれぞれ、ＨＡＰＳ間通信部１２５とビーム制御部１２６とを備える。
【００３７】
モデム部１１８は、例えば、フィーダ局７０からフィード用アンテナ部１１３及び送受信部１１４を介して受信した受信信号に対して復調処理及び復号処理を実行し、基地局処理部１１９側に出力するデータ信号を生成する。また、モデム部１１８は、基地局処理部１１９側から受けたデータ信号に対して符号化処理及び変調処理を実行し、フィード用アンテナ部１１３及び送受信部１１４を介してフィーダ局７０に送信する送信信号を生成する。
【００３８】
基地局処理部１１９は、例えば、ＬＴＥ／ＬＴＥ−Ａｄｖａｎｃｅｄの標準規格に準拠した方式に基づいてベースバンド処理を行うｅ−ＮｏｄｅＢとしての機能を有する。基地局処理部１１９は、第５世代等の将来の移動通信の標準規格に準拠する方式で処理するものであってもよい。
【００３９】
基地局処理部１１９は、例えば、３次元セル４１，４２に在圏する端末装置から３Ｄセル形成アンテナ部１１１及び送受信部１１２を介して受信した受信信号に対して復調処理及び復号処理を実行し、モデム部１１８側に出力するデータ信号を生成する。また、基地局処理部１１９は、モデム部１１８側から受けたデータ信号に対して符号化処理及び変調処理を実行し、３Ｄセル形成アンテナ部１１１及び送受信部１１２を介して３次元セル４１，４２の端末装置に送信する送信信号を生成する。
【００４０】
図７は、実施形態のＨＡＰＳ１０，２０の無線中継局１１０，２１０の更に他の構成例を示すブロック図である。図７の無線中継局１１０，２１０はエッジコンピューティング機能を有する高機能の基地局タイプの無線中継局の例である。なお、図７において、図５及び図６と同様な構成要素については同じ符号を付し、説明を省略する。図７の無線中継局１１０，２１０はそれぞれ、図６の構成要素に加えてエッジコンピューティング部１２０を更に備える。
【００４１】
エッジコンピューティング部１２０は、例えば小型のコンピュータで構成され、予め組み込まれたプログラムを実行することにより、ＨＡＰＳ１０，２０の無線中継局１１０，２１０における無線中継などに関する各種の情報処理を実行することができる。
【００４２】
例えば、エッジコンピューティング部１２０は、３次元セル４１，４２に在圏する端末装置から受信したデータ信号に基づいて、そのデータ信号の送信先を判定し、その判定結果に基づいて通信の中継先を切り換える処理を実行する。より具体的には、基地局処理部１１９から出力されたデータ信号の送信先が自身の３次元セル４１，４２に在圏する端末装置の場合は、そのデータ信号をモデム部１１８に渡さずに、基地局処理部１１９に戻して自身の３次元セル４１，４２に在圏する送信先の端末装置に送信するようにする。一方、基地局処理部１１９から出力されたデータ信号の送信先が自身の３次元セル４１，４２以外の他のセルに在圏する端末装置の場合は、そのデータ信号をモデム部１１８に渡してフィーダ局７０に送信し、移動通信網８０を介して送信先の他のセルに在圏する送信先の端末装置に送信するようにする。
【００４３】
エッジコンピューティング部１２０は、３次元セル４１，４２に在圏する多数の端末装置から受信した情報を分析する処理を実行してもよい。この分析結果は３次元セル４１，４２に在圏する多数の端末装置に送信したり移動通信網８０のサーバ装置などに送信したりしてもよい。
【００４４】
無線中継局１１０、２１０を介した端末装置との無線通信の上りリンク及び下りリンクの複信方式は、特定の方式に限定されず、例えば、時分割複信（Ｔｉｍｅ  Ｄｉｖｉｓｉｏｎ  Ｄｕｐｌｅｘ：ＴＤＤ）方式でもよいし、周波数分割複信（Ｆｒｅｑｕｅｎｃｙ  Ｄｉｖｉｓｉｏｎ  Ｄｕｐｌｅｘ：ＦＤＤ）方式でもよい。また、無線中継局１１０、２１０を介した端末装置との無線通信のアクセス方式は、特定の方式に限定されず、例えば、ＦＤＭＡ（Ｆｒｅｑｕｅｎｃｙ  Ｄｉｖｉｓｉｏｎ  Ｍｕｌｔｉｐｌｅ  Ａｃｃｅｓｓ）方式、ＴＤＭＡ（Ｔｉｍｅ  Ｄｉｖｉｓｉｏｎ  Ｍｕｌｔｉｐｌｅ  Ａｃｃｅｓｓ）方式、ＣＤＭＡ（Ｃｏｄｅ  Ｄｉｖｉｓｉｏｎ  Ｍｕｌｔｉｐｌｅ  Ａｃｃｅｓｓ）方式、又は、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）であってもよい。また、上記無線通信には、ダイバーシティ・コーディング、送信ビームフォーミング、空間分割多重化（ＳＤＭ：Ｓｐａｔｉａｌ  Ｄｉｖｉｓｉｏｎ  Ｍｕｌｔｉｐｌｅｘｉｎｇ）等の機能を有し、送受信両方で複数のアンテナを同時に利用することにより、単位周波数当たりの伝送容量を増やすことができるＭＩＭＯ（多入力多出力：Ｍｕｌｔｉ−Ｉｎｐｕｔ  ａｎｄ  Ｍｕｌｔｉ−Ｏｕｔｐｕｔ）技術を用いてもよい。また、上記ＭＩＭＯ技術は、１つの基地局が１つの端末装置と同一時刻・同一周波数で複数の信号を送信するＳＵ−ＭＩＭＯ（Ｓｉｎｇｌｅ−Ｕｓｅｒ  ＭＩＭＯ）技術でもよいし、１つの基地局が複数の異なる通信端末装置に同一時刻・同一周波数で信号を送信又は複数の異なる基地局が１つの端末装置に同一時刻・同一周波数で信号を送信するＭＵ−ＭＩＭＯ（Ｍｕｌｔｉ−Ｕｓｅｒ  ＭＩＭＯ）技術であってもよい。
【００４５】
図８は、他の実施形態に係る３次元化ネットワークを実現する通信システムの全体構成の一例を示す概略構成図である。なお、図８において、前述の図１と共通する部分については同じ符号を付し、その説明は省略する。
【００４６】
図８の実施形態では、ＨＡＰＳ１０，２０とフィーダ局７０との間の通信を、人工衛星７２を介して行っている。この場合、人工衛星７２とフィーダ局７０との間の通信は、マイクロ波などの電波による無線通信で行ってもよいし、レーザ光などを用いた光通信で行ってもよい。また、ＨＡＰＳ１０，２０と人工衛星７２との間の通信についても、マイクロ波などの電波による無線通信で行ってもよいし、レーザ光などを用いた光通信で行ってもよい。
【００４７】
図９は、更に他の実施形態に係る３次元化ネットワークを実現する通信システムの全体構成の一例を示す概略構成図であり、図１０は、図９の通信システムにおける係留型飛行船タイプのＨＡＰＳ２１の無線中継局２１０の一構成例を示すブロック図である。なお、図９において、前述の図１と共通する部分については同じ符号を付し、その説明は省略する。また、図１０において、図５と同様な構成要素については同じ符号を付し、説明を省略する。また、図１０の無線中継局においても、前述の図６と同様にモデム部１１８を更に備えリピーター部１１５の代わりに基地局処理部１１９を備えてもよく、また、図７と同様に、エッジコンピューティング部１２０を更に備えてもよい。
【００４８】
図９において、本実施形態の通信システムは、大都市部の所定高度（例えば地上から５［ｋｍ］程度までの高度）の上空エリアに地上から延びた係留索２５で係留された推進力を有しない係留型飛行船からなる大容量多セル対応の係留型飛行船タイプのＨＡＰＳ（以下「係留ＨＡＰＳ」という。）２１を備えている。係留ＨＡＰＳ２１は、ペイロードが大きく（例えば１トン以上）、大容量のバッテリーを搭載することができ、また、係留索２５に併設した電力ケーブルで地上から電力を供給できるため、長寿命化を図ることができる。
【００４９】
また、図１０の通信ケーブル部１２７により、係留索２５に併設した大容量の光ファイバなどからなる通信ケーブルを介して地上の固定基地局などと通信できるため、都市部に存在する多数の端末装置と地上との間の通信を中継したり、前述の無線通信ネットワークを構成する複数のＨＡＰＳとの間の通信を中継したりすることができる。
【００５０】
なお、図９及び図１０では、係留ＨＡＰＳ２１の浮揚体が飛行船である場合について示したが、係留ＨＡＰＳの浮揚体は気球であってもよい。
【００５１】
更に、本実施形態の通信システムでは、複数のソーラープレーン型のＨＡＰＳ１０が大都市部よりも端末装置の密度が低い郊外部、地方部（又は海）の上空に位置して飛行するように制御されている。複数のＨＡＰＳ１０の少なくとも一つは、前述の係留ＨＡＰＳ２１との間で雲９０５の影響を受けにくいマイクロ波などによる無線通信を行うことができる。また、複数のＨＡＰＳ１０のＨＡＰＳ間通信は、例えば前述のようにレーザ光を用いて行ってもよい。これら複数のＨＡＰＳ１０は、郊外部や地方部におけるドローン６０や地上のユーザ端末などの端末装置の有無や密度あるいは時間帯などに応じて必要な場所の上空に移動して端末装置の無線通信を中継するアドホックネットワークを構築することができる。
【００５２】
図１１は、実施形態の複数のソーラープレーンタイプのＨＡＰＳ１０及び係留型飛行船タイプの係留ＨＡＰＳ２１を日本国の上空に配置した無線通信ネットワークの一例の様子を示す説明図である。なお、図１１はソーラープレーンタイプのＨＡＰＳ１０及び係留ＨＡＰＳ２１の配置例の一つを図示したものであり、ソーラープレーンタイプのＨＡＰＳ１０及び係留ＨＡＰＳ２１の数及び位置は図示のものに限定されない。また、図１１は、複数のＨＡＰＳ（ＨＡＰＳ１０及び係留ＨＡＰＳ２１）からなる無線通信ネットワークを日本の上空に構築した例を示しているが、複数のＨＡＰＳからなる無線通信ネットワークは、日本以外の海外の上空に構築してもよいし、日本と海外とにまたがったエリアの上空に構築してもよいし、海の上空に構築してもよい。
【００５３】
図１１において、北海道エリア、東北エリア、関東甲信越エリア、中部北陸近畿エリア及び九州エリアの大都市部（札幌、仙台、東京、大阪、福岡）の上空に、大容量多セル対応の係留型飛行船タイプの係留ＨＡＰＳ２１が係留されて配置されている。これらの複数の大都市部における係留ＨＡＰＳ２１の間に位置する郊外部や地方部の上空に、係留ＨＡＰＳ２１を補完するように複数のソーラープレーンタイプのＨＡＰＳ１０が飛行している。また、図示の例では、離島の沖縄の上空にも係留ＨＡＰＳ２１が係留されて配置されている。これらの複数のソーラープレーンタイプのＨＡＰＳ１０及び係留ＨＡＰＳ２１により、３次元のメッシュ型などのトポロジーからなる無線通信ネットワークが日本の上空に構築される。この日本上空の無線通信ネットワークにより、第５世代移動通信等においてＩｏＴ向けデバイスを含む端末装置との間の無線通信にて、伝搬遅延が低く、広範囲の多数の端末と同時接続でき、高速通信可能で、単位面積あたりのシステム容量の大きい３次元化したネットワークを広域にわたって安定に実現することができる。特に、３次元のメッシュ型などのトポロジーからなる無線通信ネットワークで構築することにより、上記その３次元化したネットワークのロバスト性に高めることができる。
【００５４】
図１２は、更に他の実施形態に係る３次元化ネットワークを実現する通信システムの全体構成の一例を示す概略構成図である。なお、図１２において、前述の図９と共通する部分については同じ符号を付し、その説明は省略する。
【００５５】
図１２の実施形態では、ＨＡＰＳ１０及び係留ＨＡＰＳ２１と移動通信網８０のコアネットワークとの間の通信を、フィーダ局７０及び人工衛星７２を介して行っている。この場合、人工衛星７２とフィーダ局７０との間の通信は、マイクロ波などの電波による無線通信で行ってもよいし、レーザ光などを用いた光通信で行ってもよい。また、ＨＡＰＳ１０，２１と人工衛星７２との間の通信についても、マイクロ波などの電波による無線通信で行ってもよいし、レーザ光などを用いた光通信で行ってもよい。
【００５６】
なお、本明細書で説明された処理工程並びに無線中継装置の無線中継局、フィーダ局、遠隔制御装置、端末装置（ユーザ装置、移動局、通信端末）及び基地局における基地局装置の構成要素は、様々な手段によって実装することができる。例えば、これらの工程及び構成要素は、ハードウェア、ファームウェア、ソフトウェア、又は、それらの組み合わせで実装されてもよい。
【００５７】
ハードウェア実装については、実体（例えば、無線中継局、フィーダ局、基地局装置、無線中継局装置、端末装置（ユーザ装置、移動局、通信端末）、遠隔制御装置、ハードディスクドライブ装置、又は、光ディスクドライブ装置）において上記工程及び構成要素を実現するために用いられる処理ユニット等の手段は、１つ又は複数の、特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明された機能を実行するようにデザインされた他の電子ユニット、コンピュータ、又は、それらの組み合わせの中に実装されてもよい。
【００５８】
また、ファームウェア及び／又はソフトウェア実装については、上記構成要素を実現するために用いられる処理ユニット等の手段は、本明細書で説明された機能を実行するプログラム（例えば、プロシージャ、関数、モジュール、インストラクション、などのコード）で実装されてもよい。一般に、ファームウェア及び／又はソフトウェアのコードを明確に具体化する任意のコンピュータ／プロセッサ読み取り可能な媒体が、本明細書で説明された上記工程及び構成要素を実現するために用いられる処理ユニット等の手段の実装に利用されてもよい。例えば、ファームウェア及び／又はソフトウェアコードは、例えば制御装置において、メモリに記憶され、コンピュータやプロセッサにより実行されてもよい。そのメモリは、コンピュータやプロセッサの内部に実装されてもよいし、又は、プロセッサの外部に実装されてもよい。また、ファームウェア及び／又はソフトウェアコードは、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、ＦＬＡＳＨメモリ、フロッピー（登録商標）ディスク、コンパクトディスク（ＣＤ）、デジタルバーサタイルディスク（ＤＶＤ）、磁気又は光データ記憶装置、などのような、コンピュータやプロセッサで読み取り可能な媒体に記憶されてもよい。そのコードは、１又は複数のコンピュータやプロセッサにより実行されてもよく、また、コンピュータやプロセッサに、本明細書で説明された機能性のある態様を実行させてもよい。
【００５９】
また、本明細書で開示された実施形態の説明は、当業者が本開示を製造又は使用するのを可能にするために提供される。本開示に対するさまざまな修正は当業者には容易に明白になり、本明細書で定義される一般的原理は、本開示の趣旨又は範囲から逸脱することなく、他のバリエーションに適用可能である。それゆえ、本開示は、本明細書で説明される例及びデザインに限定されるものではなく、本明細書で開示された原理及び新規な特徴に合致する最も広い範囲に認められるべきである。
【符号の説明】
【００６０】
１０，１１，１２  ＨＡＰＳ（ソーラープレーンタイプ）
２０  ＨＡＰＳ（飛行船タイプ）
２１  ＨＡＰＳ（係留型飛行船タイプ）
２５  給電用飛行船
３０  ＡＴＧ局
４０  セル形成目標空域
４１，４２，４３  ３次元セル
５０  ＨＡＰＳが位置する空域
６０  ドローン
６５  飛行機
７０  フィーダ局
７２  人工衛星
７５  マイクロ波給電局
８０  移動通信網
８５  遠隔制御装置
８６  サーバ装置
１００，２００，３００  ビーム
１０１  主翼部
１０２  ソーラーパネル（太陽光発電パネル）
１０３  プロペラ
１０４  連結部
１０５  ポッド
１０６  バッテリー
１０７  車輪
１０８  受電用ポッド
１１０，２１０  無線中継局
１１１  ３次元（３Ｄ）セル形成アンテナ部
１１２  送受信部
１１３  フィード用アンテナ部
１１４  送受信部
１１５  リピーター部
１１６  監視制御部
１１７  電源部
１１８  モデム部
１１９  基地局処理部
１２０  エッジコンピューティング部
１２５  ＨＡＰＳ間通信部
１２６  ビーム制御部
１２７  通信ケーブル部
【図１】
2018195869.tif 000003
【図２】
2018195869.tif 000004
【図３】
2018195869.tif 000005
【図４】
2018195869.tif 000006
【図５】
2018195869.tif 000007
【図６】
2018195869.tif 000008
【図７】
2018195869.tif 000009
【図８】
2018195869.tif 000010
【図９】
2018195869.tif 000011
【図１０】
2018195869.tif 000012
【図１１】
2018195869.tif 000013
【図１２】
2018195869.tif 000014